(57)【要約】【課題】複数の溝を同時に高能率に加工することができる刃先交換式の回転切削工具を提供する。【解決手段】ボデー２と、ロケータ３と、切削インサート４と、押圧部材５と、から構成される刃先交換式回転切削工具である。ボデー２の外周面には羽根部７が一体的に設けられており、羽根部７は１列につき複数個並ぶように複数列にわたって外周面に並列されており、ロケータ３は羽根部７に装着されている。ロケータ３の切削インサート４と当接する面には凸部１４が形成されており、切削インサート４のロケータ３と当接する面には凹部２１が形成されており、切削インサート４の凹部２１がロケータ３の凸部１４に嵌っている。ロケータ３の凸部１４のロケータ先端側の側面と切削インサート４の凹部２１の対応する内側側面とは当接しており、ロケータ３の基端側壁面と切削インサート４のボデー２側の側面との間には隙間αが設けられている。【選択図】図１
2015024445.tif 000002
【特許請求の範囲】
【請求項１】
略円形をなす２つの端面と該端面間を接続する外周面とを有するボデー（２）と、該ボデー（２）に装着されたロケータ（３）と、該ロケータ（３）に装着された切削インサート（４）と、該切削インサート（４）を該ロケータ（３）に向けて押圧するために該ボデー（２）に装着された押圧部材（５）と、から少なくとも構成される刃先交換式回転切削工具において、
前記ボデー（２）の外周面には、複数の羽根部（７）が該ボデー（２）と一体的に設けられており、
前記複数の羽根部（７）は、１列につき複数個並ぶように複数列にわたって前記外周面に並列されており、
前記ロケータ（３）は、前記羽根部（７）に接するように装着されており、
前記ロケータ（３）の前記切削インサート（４）と当接する面には、少なくとも１つの凸部（１４）が形成されており、
前記切削インサート（４）の前記ロケータ（３）と当接する面には、少なくとも１つの凹部（２１）が形成されており、
前記切削インサート（４）は、前記凹部（２１）が前記ロケータ（３）の凸部（１４）に嵌るように前記ロケータ（３）に装着されており、
前記ロケータ（３）の凸部（１４）のロケータ先端側の側面と前記切削インサート（４）の凹部（２１）の対応する内側側面とは当接しており、前記ロケータ（３）の基端側壁面と前記切削インサート（４）のボデー（２）側に位置していている側面との間には隙間（α）が設けられていることを特徴とする刃先交換式回転切削工具。
【請求項２】
前記ロケータ（３）の凸部（１４）のロケータ基端側の側面と前記切削インサート（４）の凹部（２１）の対応する内側側面との間には隙間（β）が設けられていることを特徴とする請求項１に記載の刃先交換式切削工具。
【請求項３】
前記切削インサート（４）は、前記ロケータ（３）と当接する側に、外方に突出するＶ字形状下面（２２）を有しており、
前記ロケータ（３）は、前記切削インサート（４）と当接する側に、内方に窪んだＶ字溝（１５）を有しており、
前記切削インサート（４）のＶ字形状下面（２２）と前記ロケータ（３）のＶ字溝（１５）とが係合していることを特徴とする請求項１又は２に記載の刃先交換式回転切削工具。
【請求項４】
前記羽根部（７）は1列につき偶数個配置されており、
前記切削インサート（４）は、１つの列につき右勝手のものと左勝手のものとが交互に配列されていることを特徴とする請求項１から３のいずれかに記載の刃先交換式回転切削工具。
【請求項５】
前記羽根部（４）は偶数列配置されており、
前記切削インサート（４）は、前記ボデー（２）を端面側から見たときに、同じ位相において列を１つ飛ばしで配置されていることを特徴とする請求項１から４のいずれかに記載の刃先交換式回転切削工具。
【請求項６】
前記切削インサート（４）は、同じ位相において隣接している他の切削インサート（４）とは異なる勝手を有していることを特徴とする請求項５に記載の刃先交換式回転切削工具。
【請求項７】
前記ロケータ（３）の凸部（１４）は、右勝手用と左勝手用とでロケータ先端から距離をずらして配置されていることを特徴とする請求項１から６のいずれかに記載の刃先交換式回転切削工具。
【請求項８】
１つの前記切削インサート（４）につき１つの前記ロケータ（３）が使用されていることを特徴とする請求項１から７のいずれかに記載の刃先交換式回転切削工具。
【請求項９】
前記押圧部材（５）を前記ボデー（２）に固定するためのねじには、クーラントを噴出するための貫通穴が設けられていることを特徴とする請求項１から８のいずれかに記載の刃先交換式回転切削工具。
【発明の詳細な説明】
【技術分野】
【０００１】
本発明は、刃先交換式回転切削工具に関する。特には、本発明は、複数の溝を同時に加工することが可能な溝入れ加工用の刃先交換式回転切削工具に関する。
【背景技術】
【０００２】
従来から、溝入れ加工用の刃先交換式回転切削工具として、ソリッド工具のサイドカッタと、刃先交換式のサイドカッタとが存在する。ソリッド工具のサイドカッタは、刃部とボデーとが超硬合金などの同一材料で一体的に形成された回転切削工具である。刃先交換式のサイドカッタは、ボデーに刃部として切削インサートを機械的に装着可能な構造を有する回転切削工具である。
【０００３】
昨今においては、以上のようなサイドカッタにおいて、今まで以上の高能率加工と低コスト化が求められている。そのような要求に応えるサイドカッタとして、特許文献１には複数の円板状部材を備えたソリッド工具のサイドカッタが開示されている。このサイドカッタは、複数の円板状部材に設けられた複数の切れ刃によって複数の溝を同時に加工することができる。また、このサイドカッタは刃部とボデーとが一体的に形成されたソリッド工具であるため、刃先交換式のように刃部の固定が不安定になることがない。
【先行技術文献】
【特許文献】
【０００４】
【特許文献１】特開２００１−３３４４０８号公報
【発明の概要】
【発明が解決しようとする課題】
【０００５】
しかしながら、特許文献１のサイドカッタは刃部と工具とが一体的に形成されているソリッド型であるため、刃部が摩耗又は損傷した場合には工具全体を新しいものに取り換える必要があり、経済的でない。また、摩耗した刃部を再研削するとしても手間がかかり費用が高いため、やはり経済的ではない。そのため、コスト効果と高能率加工の両方を実現することができる刃先交換式のサイドカッタが求められている。
【０００６】
本発明は以上の課題に鑑みてなされたものであり、複数の溝を同時に高能率に加工することができる刃先交換式の回転切削工具を提供することを目的とする。
【課題を解決するための手段】
【０００７】
本発明は、略円形をなす２つの端面とそれら端面間を接続する外周面とを有するボデー２と、ボデー２に装着されたロケータ３と、ロケータ３に装着された切削インサート４と、切削インサート４をロケータ３に向けて押圧するためにボデー２に装着された押圧部材５と、から少なくとも構成される刃先交換式回転切削工具である。ボデー２の外周面には複数の羽根部７がボデー２と一体的に設けられており、複数の羽根部７は１列につき複数個並ぶように複数列にわたって外周面に並列されており、ロケータ３は羽根部７に接するように装着されている。ロケータ３の切削インサート４と当接する面には少なくとも１つの凸部１４が形成されており、切削インサート４の前記ロケータ３と当接する面には少なくとも１つの凹部２１が形成されており、切削インサート４は凹部２１がロケータ３の凸部１４に嵌るようにロケータ３に装着されている。ロケータ３の凸部１４のロケータ先端側の側面と切削インサート４の凹部２１の対応する内側側面とは当接しており、ロケータ３の基端側壁面と切削インサート４のボデー２側に位置していている側面との間には隙間αが設けられている。
【発明の効果】
【０００８】
本発明によれば、刃先交換式の回転切削工具でありながらも複数の溝を同時に切削加工することができるとともに、高能率加工を目的として工具を高速回転させても安定的に高精度で切削を行うことが可能となる。
【図面の簡単な説明】
【０００９】
【図１】本発明の刃先交換式回転切削工具の一実施形態の正面図、側面図、斜視図を示す。
【図２】ボデーの一実施形態の正面図、側面図、斜視図を示す。
【図３】ロケータ（左勝手用）の一実施形態の正面図、側面図、斜視図を示す。
【図４】ロケータ（右勝手用）の一実施形態の側面図を示す。
【図５】切削インサートの一実施形態の正面図、側面図、斜視図を示す。
【図６】くさび部材の一実施形態の正面図、斜視図を示す。
【図７】切削インサートがロケータに装着された状態の部分拡大図を示す。
【図８】ロケータ、切削インサート、くさび部材を組み合わせた状態の図を示す。
【発明を実施するための形態】
【００１０】
以下、本発明の刃先交換式回転切削工具１の実施形態について図面を参照しながら詳細に説明する。
【００１１】
最初に、本実施形態の刃先交換式回転切削工具１を構成する各部材について説明する。図１に示されているように、本実施形態の刃先交換式回転切削工具１は、ボデー２と、ボデー２に装着されたロケータ３と、ロケータ３に装着された切削インサート４と、切削インサート４をロケータ３に固定するための押圧部材５と、から基本的に構成されている。以後、押圧部材５をくさび部材５と呼ぶ。
【００１２】
ボデー２は、図２に示されているように、２つの略円形の端面とそれら端面間を接続する外周面とから形成された略円筒形状部分６と、外周面から突出した複数の羽根部７と、を有する。ボデー２の両端面の中央には両端面間を貫通するボア８が設けられている。このボア８により工作機械の主軸へ回転切削工具１が取り付けられる。羽根部７は、ロケータ３を支持するための薄板状の部材であり、ボデー２に一体的に形成されている。また、羽根部７は、ロケータ３と当接する側（すなわち、工具回転方向Ｋ前方側）がロケータ３の形状に沿った直線状に形成されている。その逆側であるくさび部材５と当接する側（すなわち、工具回転方向Ｋ後方側）は、先端付近が凹曲線状に形成され、基端付近が直線状に形成され、この直線状部分がくさび部材５と当接する。そして、羽根部７は、ボデー２の外周面の回転方向に沿って一定間隔で複数個配置されることで列を形成している。本実施形態においては、１つの列に並んでいる羽根部７の数は８つであり、これら８つの羽根部７は等間隔に配置されている。このように本実施形態では１つの列における羽根部７の数が８つであるが、複数個であれば幾つでも構わない。好ましくは、1つの列における羽根数７の数は偶数である。また、本実施形態においては、羽根部７の列がボデー２の外周面の幅方向に４つ並んでいる。それら４つの列をなしている羽根部７は、ボデー２を端面側から見てそれぞれの列の羽根部７が重なり合うように規則正しく配置されている。このように本実施形態では列の数が４つであるが、幾つであっても構わない。好ましくは、列の数は偶数である。また、ボデー２を端面側から見て、それぞれの羽根部７のロケータ３と当接する直線状部分は、ボデー２と接続している点におけるボデー２の接線を基準として工具回転方向Ｋ側に傾斜している。羽根部７の形状に関しては、上記実施形態に限定されず、確実にロケータ３及びくさび部材５と当接し、それらを保持することができる形状であれば他の形状であっても構わない。
【００１３】
また、ボデー２には、ボア８から外周面にかけて貫通穴が複数設けられている。この貫通穴はクーラントが流れる通路である。
【００１４】
ロケータ３は、図３に示されているように、切削インサート４と当接する着座部９と、ロケータ３をボデー２に固定するための固定部１０と、から構成されている。着座部９は、ボデー２の羽根部７と同等の厚さを有する平板状であり、切削インサート４と当接する側と、その反対側にあるボデー２の羽根部７と当接する側とで形状が異なっている。羽根部７と当接する側は直線状に形成されており、羽根部７と確実に広い面積で当接することができる。切削インサート４と当接する側は、ロケータ３の側面視において、固定部１０側から先端に向けて、羽根部７と当接する側へと傾斜した後に直線状部分が先端まで続く構成となっている。これらの外郭形状に関しては、この実施形態に限定されず他の形状であってもよい。
【００１５】
本実施形態のロケータ３においては、切削インサート４と当接する直線状部分に、ロケータ３と当接する側に窪んだ３つの凹部が形成されている。これより、これら３つの凹部を、ロケータの先端側から順に第１の凹部１１、第２の凹部１２、第３の凹部１３と呼称する。第１の凹部１１と第２の凹部１２との間には、結果として凸部１４が形成されている。本実施形態において、第１の凹部１１は、ロケータ３側面視において、前述した直線状部分の中央点よりもロケータ３先端側に配置されている。つまり、第１の凹部１１は、直線状部分の上半分の位置に形成されている。第２の凹部１２は、直線状部分の中央点付近に配置されている。したがって、凸部１４は直線状部分の上半分の位置、すなわちロケータ３の先端側よりに偏って配置されている。第３の凹部１３は、直線状部分の基端に配置されている。第１の凹部１１及び第２の凹部１２は、ロケータ３側面視において、入口側から末端側に向けて幅が狭くなり、末端部が円弧状に形成されている。第３の凹部１３は、入口側から末端側に向けて同じ幅であり、末端部が円弧状に形成されている。凸部１４は、第1の凹部１１及び第２の凹部１２の側面形状にならった側面形状を有している。また、本実施形態において、凸部１４の凸形状先端部は、他の直線部分よりも、ロケータ３側面視において外方に突き出している。すなわち、凸部１４の凸形状先端部が、他の直線部分よりもロケータ３の外方に向かって突出している。しかし、凸部１４はこの形状に限定されることはなく、凸形状の先端部が他の直線状部分と同位であってもよいし、逆に他の直線状部分よりもロケータ３内方側へ引っ込んでいてもよい。各凹部１１、１２、１３や凸部１４の形状や寸法は、上記に限定されることはなく、本発明の趣旨に適合する範囲において適宜設定することが可能である。また、第３の凹部１３は任意で設けられるものである。通常、第３の凹部１３はロケータ３を製造する際における加工上の都合によって形成される。
【００１６】
本実施形態の刃先交換式回転切削工具１においては、図４に示されているように、上述した凸部１４の配置とは異なる配置をしたロケータ３を併用することが可能である。すなわち、ロケータ３側面視において、凸部１４が図３に記載のものと比較してより基端側（固定部１０側）に近い箇所に配置されている。本発明の刃先交換式回転切削工具１においては、以上のような２種類のロケータ３を使用することが可能である。このような２種類のロケータ３は、右勝手の切削インサート用ロケータと、左勝手の切削インサート用ロケータである。どちらか一方の種類のロケータ３が必ず右勝手用又は左勝手用のいずれかに限定されることはない。すなわち、凸部１４がより先端側にあるロケータ３が右勝手用の場合では他方が左勝手用になり、凸部１４がより基端側にあるロケータ３が右勝手用の場合では他方が左勝手用となる。本実施形態では、凸部１４がより先端側にあるロケータ３（すなわち、図３に記載されているロケータ）が左勝手用のロケータであり、凸部１４がより基端側にあるロケータ３（すなわち、図４に記載されているロケータ）が右勝手用のロケータである。どちらがどの勝手になるのかは、切削インサート４との兼ね合いで決定される。
【００１７】
また、ロケータ３の切削インサート４と当接する側の側面には、内側に向かって切りかかれたＶ字溝１５が形成されている。このＶ字溝１５は、各凹部１１、１２、１３と凸部１４を除いて、この側面の長手方向全長にわたって形成されている。
【００１８】
ロケータ３の固定部１０は、図３に示されているように、略直方形の全体形状をしており、前述した着座部９と一体的に形成されている。着座部９は、固定部１０の一方の側面側に偏って配置されている。そして、着座部９に隣接して取り付け穴が形成されている。この取り付け穴にねじを螺入することで、ロケータ３はボデー２に確実に固定される。
【００１９】
切削インサート４は、図５で示されているように、略船形の形状をなしている。具体的には、すくい面を構成する上面と、ロケータ３と当接する下面と、長細い略台形形状の側面１６と、側面１６に対向するように配置されており且つ側面１６とほぼ同形状の側面１７と、上面と下面と側面１６と側面１７とを接続する２つの側面と、から形成されている。切削インサート４の側面１６側からの端面視において、側面１６及び側面１７における略台形形状の短い方の長辺１８側の面（下面）は、ロケータ３と当接する部分である。略台形形状の長い方の長辺１９側の面（上面）と２つの短辺２０側の側面との交差稜線には、切れ刃が形成されている。よって、この切削インサート４は、左右逆に付け替えることで２つのコーナを切削に使用することができる。上面の切れ刃付近の部分は、すくい面として機能する。このすくい面は、切削インサート４の内方に向かって傾斜した面より構成されている。短辺２０側の側面、側面１６及び側面１７は逃げ面として機能する。また、切削インサート４を長い方の長辺１９側に位置している上面から見たとき、側面１７側の長い方の長辺１９が側面１６側の長い方の長辺１９よりも短い。そのため、両方の切れ刃には側面１６側から側面１７側に向けて傾斜部分が設けられている。この構成によって、本実施形態の切削インサート４では、右勝手と左勝手という種別が生じる。切削インサート４を左右逆に付け替えることで、右勝手と左勝手を切り替えることができる。
【００２０】
さらに、切削インサート４の側面１６側からの端面視において、短い方の長辺１８側には切削インサート内方に陥没する凹部２１が設けられている。この凹部２１は、入口側から末端側に向けた２つの側面と、それら側面と接続する末端面とから形成されている。そして、側面と末端面との接続部は曲線状に形成されている。２つの側面同士は平行の関係にある。しかし、凹部２１の形状は、以上のものに限定されず適宜変更することができる。さらに、本実施形態においては、この凹部２１は、切削インサート４の側面１６側からの端面視において、短い方の長辺１８側を上で長い方の長辺１９側を下として考えるときに、短い方の長辺１８の中央点よりも右側に偏って設けられている。本実施形態では、勝手と凹部２１の位置の組み合わせが以上のようになっているが、これ以外の組み合わせでも構わない。すなわち、凹部２１は中央点より右に偏っていてもよいし、左に偏っていてもよい。このように本実施形態では凹部２１の配置箇所を中央点からずらしているが、凹部２１を短い方の長辺２１の中央点に設けることも可能である。しかし、後述するように、凹部２１の配置箇所を中央点からずらすことが好ましい。
【００２１】
また、切削インサート４を短辺２０側の側面から見たとき、短い方の長辺１８側に位置している下面は外方に向かって突出したＶ字形状に形成されていることが好ましい。この切削インサート４の突出したＶ字形状の下面２２は、前述したロケータのＶ字溝１５と対応する形状である。
【００２２】
また、切削インサートの側面１６側からの端面視において、短辺２０側の側面と長い方の長辺１９側の上面とは鋭角で交差していることが好ましい。そして、長い方の長辺１９側の上面には、切れ刃から一定距離離れた後に切削インサート４の外方に向かって突出し一定距離にわたって直線状となった平坦区間が形成されている。この直線状の平坦区間はくさび部材５と当接する箇所である。
【００２３】
本実施形態の切削インサート４は、超硬合金、コーティングされた超硬合金、サーメット、セラミック、又はダイヤモンドあるいは立方晶窒化硼素を含有する超高圧焼結体といった硬質材料からなる。また、図に示されてはいないが、すくい面を構成する上面には、切りくず処理性の向上などを目的としてチップブレーカを形成することも可能である。チップブレーカの形状は、切削する被削材の種類や切削インサートの材種などの要素を考慮して、適宜決定することができる。また、切れ刃の強度向上を目的として、切れ刃にホーニングやランドを形成することも可能である。ホーニングやランドの形状に関しても、切削する被削材の種類や切削インサートの材種などの要素を考慮して、適宜決定することができる。
【００２４】
以上説明してきた切削インサート４は、左右の勝手が存在するタイプである。しかしながら、本発明はこれに限定されることはなく、勝手の存在しない一般的な総形タイプの切削インサート、すなわち、上面側からみて長手方向の基準線に対して対称形状の切削インサートを使用することも可能である。だが、本発明おいては、後述するように、左右の勝手がある切削インサートを使用する方が好ましい。
【００２５】
くさび部材５は、図６に示されているように、切削インサート４を押圧する押圧部２３と、くさび部材５をボデー２に固定するための固定部２４と、から構成されている。押圧部２３は、ボデー２の羽根部７と同等の厚さを有する平板状であり、切削インサート４と当接する側と、その反対側にある羽根部７と当接する側とで形状が異なっている。羽根部７と当接する側は直線状に形成されており、羽根部７と確実に広い面積で当接することができる。切削インサート４と当接する側は、くさび部材５側面視において、切削インサート４の長い方の長辺１９側の上面にある平坦区間を押圧することができるように平坦状に形成された部分と、その部分よりもくさび部材５内方へ向かって一段低く形成された逃げ部分と、から構成されている。この逃げ部分は、切削に関与していない切れ刃とくさび部材５とが接触することによって、切れ刃が傷ついてしまうのを防止するために設けられている。
【００２６】
くさび部材５の固定部２４は、略直方形の全体形状をしており、押圧部２３と一体的に形成されている。押圧部２３は、固定部２４の一方の側面側に偏って配置されている。そして、押圧部２３に隣接して取り付け穴が形成されている。この取り付け穴にねじを螺入することで、ロケータ３はボデー２に確実に固定される。
【００２７】
また、図に示されてはいないが、くさび部材５をボデー２に固定するねじには、その中心軸を通るように貫通穴を設けることができる。この貫通穴はクーラントが流れる通路となる。また、押圧部材はくさび部材５に限定されることは、切削インサート４を適切に押圧固定することができるものであれば、他のものであってもよい。
【００２８】
次に、以上説明した各部材の組み合わせについて説明する。図１に示されているのが、各部材を組み合わせて構成された刃先交換式回転工具１である。
【００２９】
ロケータ３は、図１に示されているように、ボデー２の羽根部７と当接するように羽根部７の工具回転方向Ｋ前方側に取り付けられている。より詳細には、ロケータ３は、凸部１４が設けられている側とは反対の直線状部分がボデー２の羽根部７のロケータ当接部と接するように固定されている。その際、ロケータ３の固定部１０に設けられているねじ穴にねじを螺入することによって、ロケータ３はボデー２の外周面に確実に固定される。そして、ロケータ３は羽根部７の１つの列において１つ飛ばしで配置されている。本実施形態の場合、１つの列における羽根部７の数は８つであるので、１つの列につき４つのロケータ３が装着されることになる。さらに、ロケータ３は、勝手の違いがある場合、１つの列において右勝手用のものと左勝手用のものとが交互に配置されている。すなわち、凸部１４がより先端側にあるロケータ３と、凸部１４が前述のものよりも基端側にあるロケータ３とが交互に配置されている。また、羽根部７の各列間において、ロケータ３は互い違いに配置されている。すなわち、ボデー２の端面側から見て、ロケータ３は同位相において列を１つ飛ばしで配置されている。本実施形態の場合、列の数は４つであるので、ボデー２の端面側から見て、１列目と３列目のロケータ３の配置が同じであり、２列目と４列目のロケータ３の配置が同じとなる。この際、同じ位相にある２つのロケータ３は互いに異なる勝手を有するように構成されている。本実施形態の場合、同じ位相において、１列目のロケータ３が右勝手用の場合は３列目のロケータ３は左勝手用となる。ロケータ３がボデー２に取り付けられるときには、ロケータ３の固定部１０間の干渉を避けるため、固定部１０同士が反対側を向くように配置される。なお、このロケータの配置順序は、本実施形態に限定されない。右勝手用と左勝手用とを同じ位相にする配置や交互にする配置は、他の配置順序でも可能である。
【００３０】
切削インサート４は、図７に示されているように、その突出したＶ字形状下面２２がロケータ３のＶ字溝１５と嵌め合うようにロケータ３に確実に取り付けられる。その際、切削インサート４は、ロケータ３の凸部１４のロケータ先端側の側面と、切削インサート４の凹部２１の対応する内側側面とが当接するようにロケータ３に配置される。このように切削インサート４がロケータ３に取り付けられたとき、切削に関与する側の短辺の稜線はロケータ３の先端稜線の延長線とほぼ同一の位置にある。反対側の短辺の稜線は、ロケータ３の着座部９の固定部１０側（ボデー２側）側面と接触していない。すなわち、切削インサート４は、短辺の稜線とロケータ３の着座部９との間に隙間αが確保されるように配置されている。さらに、好ましくは、ロケータ３の凸部１４のロケータ基端側の側面と、切削インサート４の凹部２１の対応する内側側面とは、接触していない。すなわち、ロケータ３の凸部１４のロケータ基端側の側面と、切削インサート４の凹部２１の対応する内側側面との間には、隙間βが確保されている。
【００３１】
このとき、右勝手のロケータ３には右勝手の切削インサート４が取り付けられ、左勝手のロケータ３には左勝手の切削インサート４が取り付けられている。本実施形態の場合、左勝手用のロケータ３においては凸部１４がより先端側に設けられているため、図７に示されているように、左勝手の切削インサート４をそのロケータ３に取り付けると、切削インサート３の切削に関与する側の短辺の稜線がロケータ３の先端稜線の延長線とほぼ同一の位置にくる。これは右勝手用のロケータ３と右勝手の切削インサート４においても同様である。
【００３２】
くさび部材５は、図８に示されているように、押圧部２３が切削インサート４と当接するように配置される。より具体的には、押圧部２３の平板状部分が切削インサート４の長い方の長辺側にある平坦区間と当接するように、くさび部材５はボデー２に固定される。そのため、くさび部材５が切削インサート４の使用されていない方の切れ刃と当接することがない。くさび部材５の固定部２４に設けられているねじ穴にねじを螺入することによって、くさび部材５はボデー２の外周面に確実に固定される。くさび部材５がボデー２に取り付けられるときには、くさび部材５の固定部２４間の干渉を避けるため、固定部２４同士が反対側を向くように配置される。
【００３３】
前述したように、くさび部材５をボデー２に固定するねじには貫通穴が設けられている。この貫通穴はクーラントを噴出するための通路であり、クーラントはボデー２の内部から供給される。クーラントを噴出するための油穴はこれに限定されることはなく、従来のようにボデー２に設けられているものが他にもあってよい。
【００３４】
次に、本実施形態の刃先交換式回転切削工具１の作用・効果について説明する。
【００３５】
本実施形態の刃先交換式回転切削工具１においては、羽根部７が４列あるため、刃先交換式でありながらも、４つの溝を同時に切削加工することが可能である。この羽根部７の列数は前述したように２列以上であればよいため、本発明は本質的に複数の溝を同時に切削加工できるという高能率加工を実現するものである。刃先交換式であるので、刃部が損傷又は摩耗した場合には切削インサート４を取り換えればよいため、ソリッド工具と比較して非常に経済的である。
【００３６】
本実施形態の刃先交換式回転切削工具１においては、ロケータ３の凸部１４のロケータ先端側の側面と切削インサート４の凹部２１の対応する内側側面とが当接するようにして、切削インサート４がロケータ３に取り付けられている。それと同時に、切削インサート４の切削に関与していない側の切れ刃側（すなわち、ボデー２側）に位置している側面と、ロケータ３の基端側壁面と、の間に隙間αが確保されている。これによって、切削インサート４をロケータ３に取り付けた際の振れ精度が大きく向上している。すなわち、従来においては、切削インサート４の切削に関与していない切れ刃側の側面をロケータ３の基端側壁面に接触させることによって切削インサート４の位置決めをしていたが、本実施形態はその位置決めの位置をより切れ刃に近い位置（すなわち、ロケータ３の凸部１４のロケータ先端側の側面）にしている。そのため、切削インサート４及びロケータ３の製造ばらつきによって生じる振れ精度への悪影響を極力抑制することが可能である。したがって、加工精度を大幅に向上することができる。複数溝を同時に切削する高能率加工の際には、加工精度に問題があった場合にやり直しをすると被削材を大きく無駄にすることになるので、このような加工精度の向上は高能率可能を安定的に行うために非常に有利な効果である。さらに、好ましくは、ロケータ３の凸部１４のロケータ基端側の側面と、切削インサート４の凹部２１の対応する内側側面との間に隙間βが設けられていることで、切削インサート４及びロケータ３の製造ばらつきによる影響をさらに吸収することが可能となる。これによって、上記振れ精度の悪化をさらに抑制することができる。
【００３７】
さらに、ロケータ３の凸部１４が切削インサート４の凹部２１によって挟まれる構成となっていることによって、工具の高速回転に由来する遠心力によって切削インサート４が飛散することが防止される。すなわち、高能率を求めて刃先交換式回転切削工具１を高速回転させたときに、誤ってくさび部材５による切削インサート４への押圧力が高速回転の遠心力に負けたとしても、ロケータ３の凸部１４のロケータ基端側の側面と切削インサート４の凹部２１の対応する内側側面とが当接することで、切削インサート４がロケータ３から外れて飛び出すことを防止できる。したがって、高速回転時における安全性が大きく向上した安定的な切削が実現される。これは、高能率加工を行うために回転切削工具を高速回転させることが前提の溝入れ加工において有利な効果である。
【００３８】
このとき、切削インサート４にＶ字形状下面２２を設け、ロケータ３にＶ字溝１５を設けることが好ましい。Ｖ字形状下面２２とＶ字溝１５とが係合するように、切削インサート４はロケータ３に取り付けられることで、切削インサート３は横方向の動きが規制され、Ｖ字溝１５に沿った方向のみにガイドされる。したがって、前述した振れ精度向上効果及び飛散防止効果を確実に実現することが可能となる。
【００３９】
また、羽根部７の１つの列においては、切削インサート４の数が偶数であり、右勝手の切削インサート４と左勝手の切削インサート４が交互に配置されていることが好ましい。すなわち、１つの加工する溝に対して切れ刃が千鳥状に配置されていることが好ましい。この場合、１種類の総形の切削インサートを使用して加工する場合と比較し、１つの切削インサート４あたりの切削抵抗が低く抑えられる。そのため、切削インサート４の損傷や摩耗、さらにはびびりを大きく抑制することが可能である。また、切削インサート４は、ボデー２を端面側から見て、切削インサート４が、同じ位相において１つ飛ばしの列で配置されていることが好ましい。これによって、一度に被削材に食い込む切削インサート４の数は羽根部７の全列のうち半分の列に配置されているものだけになり、回転切削工具全体にかかる切削抵抗を大きく軽減することができる。さらに、同じ位相において列を１つ飛ばしで配置されている各々の切削インサート４は、その同じ位相において隣接している他の切削インサートとは勝手が異なることが好ましい。すなわち、同じ位相において右勝手の切削インサート４と左勝手の切削インサート４とが交互に配置されていることが好ましい。この場合、一度に被削材に食い込む複数の切削インサート４は、右勝手のものと左勝手のものとが同数である。したがって、図１に示されているように、一度に被削材に食い込む切削インサート４は、全体で左右対称の配置となっている。これによって、複数の切削インサート４が被削材に食い込むときの切削バランスが良好となり、被削材に形成された溝と溝の間の壁部に対して横方向に働く不適切な力を減少させることができるので、壁部の倒れや変形を抑制することが可能となる。この効果は、溝と溝の間の壁部の幅が薄い加工物を作成する際において非常に有利である。また、上記してきた種々の効果は、高能率加工を目指して回転切削工具を高速回転させるときにおいて、特に効果を発揮する。なぜならば、回転切削工具を高速回転させると、切削インサート４にかかる切削抵抗及び切削インサート４の配列による被削材への影響が、従来の回転速度の場合と比較して顕著に大きくなるからである。
【００４０】
また、切削インサート４に勝手がある場合は、ロケータ３の凸部１４は、右勝手用の場合と左勝手用とで先端からの距離をずらして配置されていることが好ましい。この場合、切削インサート４の凹部２１も、短い方の長辺１８の中央点からずらされた対応する位置に配置されている。このように構成すると、ロケータ３の勝手と切削インサート４の勝手とが正しく組み合わされないとき、例えば左勝手用のロケータ３に右勝手の切削インサート４を装着しようとしても、ロケータ３に切削インサート４が正しく装着されない。つまり、装着できなかったり、切削に関与する切れ刃側の側面がロケータ３の先端から大きく飛び出したりする。したがって、勝手を間違ってロケータ３に切削インサート４が装着される間違いを防止することができる。
【００４１】
また、ロケータ３を分割構成とすることが好ましい。複数の切削インサート４を１つのロケータ３で固定すると、それぞれの切削インサート４の製造ばらつきによって、押圧力にばらつきが生じる。１つの切削インサート４につき１つのロケータ３を使用することで、各々の切削インサート４に由来する悪影響に他の切削インサート４が影響されることがなくなる。また、例えば、ある切削インサート４にびびりが生じていたとしても、それがロケータ３を介して他の切削インサート４に伝達されることが少なくなる。したがって、高速切削においてしばしば生じる切削インサート４に由来する悪影響を抑制することができる。同時に、ロケータ３を個別に位置調整することが可能であるので、ボデー２の外周面の幅方向における切れ刃の高精度管理が可能となり振れ精度が向上する。
【００４２】
また、くさび部材５をボデー２に固定するねじにクーラントを噴出するための貫通穴が設けられていることが好ましい。これによって、くさび部材５の周囲にクーラント穴を設けられない場合と比べて、切れ刃に近い場所からクーラントを噴射することが可能となる。回転工具を高速回転させる高能率加工においては、多くの熱が発生するので、このような構成は非常に有利である。また、ノズルなどを用いた場合、確かに切れ刃の近くからクーラントを供給できるが、部品点数が増えてコストが増加する。これに対し、本実施形態では、ねじに穴をあけるだけで済むのでコストを抑制することも可能である。
【００４３】
以上、本発明の代表的な実施形態について説明したが、本発明は種々の変更が可能であり、本願の請求の範囲によって定義される本発明の精神及び範囲から逸脱しない限り、置換、変更が可能である。
【符号の説明】
【００４４】
１  刃先交換式回転切削工具
２  ボデー
３  ロケータ
４  切削インサート
５  押圧部材（くさび部材）
６  略円筒形状部分
７  羽根部
８  ボア
９  着座部（ロケータ）
１０  固定部（ロケータ）
１１  第1の凹部
１２  第2の凹部
１３  第3の凹部
１４  凸部
１５  Ｖ字溝
１６  側面
１７  側面
１８  短い方の長辺
１９  長い方の長辺
２０  短辺
２１  凹部
２２  Ｖ字形状下面
２３  押圧部（くさび部材）
２４  固定部（くさび部材）
【図１】
2015024445.tif 000003
【図２】
2015024445.tif 000004
【図３】
2015024445.tif 000005
【図４】
2015024445.tif 000006
【図５】
2015024445.tif 000007
【図６】
2015024445.tif 000008
【図７】
2015024445.tif 000009
【図８】
2015024445.tif 000010